(57)【要約】【課題】  無線周波数帯の切替が可能な無線装置において、部品点数を削減すること。【解決手段】  本発明にかかる携帯電話のＲＦ制御部３０は、少なくとも１つの信号を出力するΣΔＰＬＬ３９ａと、ΣΔＰＬＬ３９ａの出力信号の電圧に応じて無線周波数帯Ａの周波数の信号を出力するＶＣＯ３７ａ−Ａと、ΣΔＰＬＬ３９ａの出力信号の電圧に応じて無線周波数帯Ｂの周波数の信号を出力するＶＣＯ３７ａ−Ｂと、を備え、無線周波数帯Ａと無線周波数帯Ｂのうち、いずれの無線周波数帯を使用して通信を行うかについての選択を受け入れ、選択された無線周波数帯に応じて、ＶＣＯ３７ａ−Ａの出力信号又はＶＣＯ３７ａ−Ｂの出力信号のいずれかによる周波数変換を行いつつ、無線通信を行うことを特徴とする。【選択図】        図２
2006295399.tif 000002
【特許請求の範囲】
【請求項１】
少なくとも１つの信号を出力するＰＬＬと、
前記ＰＬＬの出力信号のうちのいずれかの出力信号の電圧に応じて第１無線周波数帯の周波数の信号を出力する第１ＶＣＯと、
前記ＰＬＬの出力信号のうちのいずれかの出力信号の電圧に応じて前記第１無線周波数帯とは異なる無線周波数帯である第２無線周波数帯の周波数の信号を出力する第２ＶＣＯと、
を備え、
前記第１無線周波数帯と前記第２無線周波数帯のうち、いずれの無線周波数帯を使用して通信を行うかについての選択を受け入れる選択受入手段と、
前記選択された無線周波数帯に応じて、前記第１ＶＣＯの出力信号又は前記第２ＶＣＯの出力信号のいずれかによる周波数変換を行いつつ、無線通信を行う無線通信手段と、
を含むことを特徴とする無線装置。
【請求項２】
請求項１に記載の無線装置において、
前記ＰＬＬは前記信号を複数出力し、
前記複数の出力信号のうちの１つが前記第１ＶＣＯに、他の１つが前記第２ＶＣＯに、それぞれ入力される、
ことを特徴とする無線装置。
【請求項３】
請求項１に記載の無線装置において、
前記選択された無線周波数帯が前記第１無線周波数帯である場合に、前記ＰＬＬの出力信号が前記第１ＶＣＯに入力され、前記選択された無線周波数帯が前記第２無線周波数帯である場合に、前記ＰＬＬの出力信号が前記第２ＶＣＯに入力されるよう、前記ＰＬＬの出力信号の出力先を切り替えるＰＬＬ出力信号出力先切替手段、
をさらに含むことを特徴とする無線装置。
【請求項４】
請求項１乃至３のいずれかに記載の無線装置において、
前記第１ＶＣＯ及び前記第２ＶＣＯの出力信号は前記ＰＬＬに入力され、
前記第１ＶＣＯ又は前記第２ＶＣＯのうち、いずれか一方の出力信号を前記ＰＬＬに入力する際、該出力信号の周波数を分周する分周手段、
をさらに含むことを特徴とする無線装置。
【請求項５】
請求項１乃至３のいずれかに記載の無線装置において、
前記選択された無線周波数帯が前記第１無線周波数帯である場合に、前記第１ＶＣＯの出力信号が前記ＰＬＬに入力され、前記選択された無線周波数帯が前記第２無線周波数帯である場合に、前記第２ＶＣＯの出力信号が前記ＰＬＬに入力されるよう、前記ＰＬＬの入力信号の入力元を切り替えるＰＬＬ入力信号入力元切替手段、
をさらに含むことを特徴とする無線装置。
【請求項６】
請求項１乃至５のいずれかに記載の無線装置において、
前記ＰＬＬはΣΔタイプのＰＬＬであり、
タイムスロットの切替タイミングを取得するタイミング取得手段と、
前記取得されるタイムスロットの切替タイミングに応じて、前記ＰＬＬの出力信号の電圧を切り替える出力信号電圧切替手段と、
をさらに含むことを特徴とする無線装置。
【発明の詳細な説明】
【技術分野】
【０００１】
本発明は無線装置に関する。
【背景技術】
【０００２】
従来の携帯電話には、移動体通信に割り当てられた無線周波数帯の異なる国間をローミングするために、使用する無線周波数帯の切替が可能になっているものがある。このような携帯電話の例を図６に示す。同図に示すように、携帯電話はＩＦ(Intermediate Frequency, 中間周波数)処理部１６０及び無線周波数帯域ごとの帯域対応部１３１を含むＲＦ(Radio Frequency, 無線周波数)処理部１３０を含んでおり、ＩＦ処理部１６０とＲＦ処理部１３０の間に設置されたＳＷ(切替器)１３２によって使用する帯域対応部１３１を切り替えることにより、無線周波数帯を切り替えている。
【０００３】
ＲＦ処理部１３０の動作について、詳細に説明する。まず携帯電話から通信データを送信する場合には、ＩＦ処理部１６０から出力された中間周波数帯の信号をＲＦ処理部１３０において無線周波数帯にアップコンバートし、アンテナから送出する。
【０００４】
アップコンバート処理では、ＶＣＯ(Voltage Controlled Oscillator, 電圧制御発振器)１３７の出力信号を、ＲＦＭＩＸＥＲ(ＲＦ混合器)１３４−１において、ＩＦ処理部１６０から出力された中間周波数帯の信号に混合する。ＶＣＯ１３７は、出力する信号の周波数を、対応している無線周波数帯に含まれる周波数に応じた周波数の範囲内で、入力される信号の電圧に応じて変更することができるように構成されている。ここではＰＬＬ(Phase Locked Loop, 位相ロックド・ループ)１３９の出力信号の電圧を制御することにより、ＶＣＯ１３７の出力信号の周波数を制御している。
【０００５】
また、ＶＣＯ１３７の出力信号の位相も、ＰＬＬ１３９の出力信号によって補正される。具体的には、ＰＬＬ１３９は、ＶＣＯ１３７の出力信号と、ＴＣＸＯ(Temperature Compensated Xtal Oscillator, 温度補償水晶発振回路)１４０から出力される基準信号と、の位相を比較することにより、その位相誤差を取得し、位相誤差を示す過渡応答信号に応じてＶＣＯ１３７に対する出力信号の電圧を補正している。このようにして、ＶＣＯ１３７の出力信号は、この位相誤差に応じて補正される。
【０００６】
上記補正処理ではＰＬＬ１３９を含む帰還回路を利用してＶＣＯ１３７の出力信号を補正しているため、ＶＣＯ１３７の出力信号の位相が安定するまでに多少時間がかかる。ＶＣＯ１３７の出力信号の位相が安定することをロックアップといい、安定するまでの時間をロックアップタイムという。ＴＤＭＡ(Time Division Multiple Access，時分割多重方式)では、隣接するタイムスロットの時間間隔が非常に短い。また、この隣接するタイムスロットでは、同じ無線周波数帯の異なる周波数が使用される。このため、タイムスロット間において、ＰＬＬ１３９のロックアップタイムを超える高速な周波数切替が必要になる。このため従来は、図６に示すようにＰＬＬ１３９とＶＣＯ１３７のセット２つとＳＷ１３６とを用意し、一方の出力をＲＦＭＩＸＥＲ１３４−１に出力している間に、他方のロックアップを行うようにしている。
【０００７】
一方、携帯電話が通信データを受信する場合には、アンテナに到来した無線信号をＲＦ処理部１３０において中間周波数帯にダウンコンバートし、ＩＦ処理部１６０に出力する。受信の場合には、ＲＦＭＩＸＥＲ１３４−２において、ＶＣＯ１３７の出力信号を受信された無線信号に混合することにより、中間周波数帯の信号を得て、ＩＦ処理部１６０に出力する。受信の場合のＶＣＯ１３７の出力信号の周波数及び位相の制御も、送信の場合と同様にＰＬＬ１３９を使用して行われる。なお、受信においてもＰＬＬ１３９とＶＣＯ１３７のセット２つとＳＷ１３６によって、タイムスロット間の周波数切替が行われる。
【０００８】
なお、特許文献１には、ＰＬＬの一使用例が記載されている。
【特許文献１】特開平１０−７５１６０号公報
【発明の開示】
【発明が解決しようとする課題】
【０００９】
しかしながら、上記従来の携帯電話に代表される無線装置は、上記補正処理を行うためのＲＦ処理部を無線周波数帯ごとに備えているため、部品点数が多くなり、コストや小型化の点で問題があった。
【００１０】
本発明は上記課題を解決するためになされたものであって、その目的の一つは、無線周波数帯の切替が可能な無線装置において、部品点数を削減することのできる無線装置を提供することにある。
【課題を解決するための手段】
【００１１】
上記課題を解決するための本発明に係る無線装置は、少なくとも１つの信号を出力するＰＬＬと、前記ＰＬＬの出力信号のうちのいずれかの出力信号の電圧に応じて第１無線周波数帯の周波数の信号を出力する第１ＶＣＯと、前記ＰＬＬの出力信号のうちのいずれかの出力信号の電圧に応じて前記第１無線周波数帯とは異なる無線周波数帯である第２無線周波数帯の周波数の信号を出力する第２ＶＣＯと、を備え、前記第１無線周波数帯と前記第２無線周波数帯のうち、いずれの無線周波数帯を使用して通信を行うかについての選択を受け入れる選択受入手段と、前記選択された無線周波数帯に応じて、前記第１ＶＣＯの出力信号又は前記第２ＶＣＯの出力信号のいずれかによる周波数変換を行いつつ、無線通信を行う無線通信手段と、を含むことを特徴とする。
【００１２】
本発明によれば、各ＶＣＯは１つのＰＬＬからの出力信号の電圧に応じて異なる周波数帯の信号を出力するので、無線周波数帯ごとに異なるＰＬＬを用意する必要がなく、部品点数を削減することができる。
【００１３】
また、上記無線装置において、前記ＰＬＬは前記信号を複数出力し、前記複数の出力信号のうちの１つが前記第１ＶＣＯに、他の１つが前記第２ＶＣＯに、それぞれ入力される、こととしてもよい。
【００１４】
このように、２つの出力を有するＰＬＬを使用し、それぞれの出力をＶＣＯに入力することにより、１つのＰＬＬの出力信号を２つのＶＣＯに入力することができるようになる。
【００１５】
また、上記無線装置において、前記選択された無線周波数帯が前記第１無線周波数帯である場合に、前記ＰＬＬの出力信号が前記第１ＶＣＯに入力され、前記選択された無線周波数帯が前記第２無線周波数帯である場合に、前記ＰＬＬの出力信号が前記第２ＶＣＯに入力されるよう、前記ＰＬＬの出力信号の出力先を切り替えるＰＬＬ出力信号出力先切替手段、をさらに含むこととしてもよい。
【００１６】
本発明によれば、ＰＬＬの出力信号を入力するＶＣＯを、例えばローミングのために選択された無線周波数帯に従って変更することができ、しかも各ＶＣＯはＰＬＬからの入力信号によって互いに異なる周波数の信号を出力するので、無線周波数帯ごとに異なるＰＬＬを用意する必要がなく、部品点数を削減することができる。
【００１７】
また、上記無線装置において、前記第１ＶＣＯ及び前記第２ＶＣＯの出力信号は前記ＰＬＬに入力され、前記第１ＶＣＯ又は前記第２ＶＣＯのうち、いずれか一方の出力信号を前記ＰＬＬに入力する際、該出力信号の周波数を分周する分周手段、をさらに含むこととしてもよい。
【００１８】
ＰＬＬは、入力インターフェイスとしてＲＦとＩＦとを備えていることがある。本発明によれば、このような場合にも、第１ＶＣＯと第２ＶＣＯのいずれかの出力信号を分周してからＰＬＬに入力することができるので、ＩＦインターフェイスに一方のＶＣＯの出力信号を、ＲＦインターフェイスに他方のＶＣＯの出力信号を、それぞれ入力することが可能になる。
【００１９】
また、上記無線装置において、前記選択された無線周波数帯が前記第１無線周波数帯である場合に、前記第１ＶＣＯの出力信号が前記ＰＬＬに入力され、前記選択された無線周波数帯が前記第２無線周波数帯である場合に、前記第２ＶＣＯの出力信号が前記ＰＬＬに入力されるよう、前記ＰＬＬの入力信号の入力元を切り替えるＰＬＬ入力信号入力元切替手段、をさらに含むこととしてもよい。
【００２０】
ＰＬＬは、入力インターフェイスとしてのＲＦインターフェイスを１つしか備えないことが多い。本発明によれば、このような場合にも、ＰＬＬ出力信号入力先切替手段による出力先の切替に合わせてＰＬＬの入力信号の入力元ＶＣＯを切り替えることができるので、１つのＲＦインターフェイスによりＰＬＬへの入力を受け付けることができる。
【００２１】
また、上記無線装置において、前記ＰＬＬはΣΔタイプのＰＬＬであり、タイムスロットの切替タイミングを取得するタイミング取得手段と、前記取得されるタイムスロットの切替タイミングに応じて、前記ＰＬＬの出力信号の電圧を切り替える出力信号電圧切替手段と、をさらに含むこととしてもよい。
【００２２】
ΣΔタイプのＰＬＬのロックアップタイムは、他のタイプのＰＬＬに比べて短く、タイムスロットの切替に追従してＶＣＯの周波数を切り替えることが可能である。本発明によれば、ＰＬＬとしてΣΔタイプのものを使用し、かつタイムスロットの切替タイミングに応じてその出力信号を切り替えることとしているので、第１ＶＣＯ又は第２ＶＣＯの出力信号の周波数をタイムスロットの切替に追従して切り替えることができる。このため、タイムスロットの切替のためにＰＬＬとＶＣＯのセット２つを設ける必要がなくなり、さらに部品点数を削減することが可能になる。
【発明を実施するための最良の形態】
【００２３】
本発明の実施の形態について、図面を参照しながら説明する。
【００２４】
図１は、本実施の形態にかかる携帯電話１の機能ブロックを示す構成図である。同図に示すように、携帯電話１は、制御部１０、記憶部２０、ＲＦ処理部３０、ＩＦ処理部６０、データ処理部７０、及びネットワーク通信部８０を含んで構成されている。
【００２５】
なお、本実施の形態では、携帯電話１は、複数の国間をローミング可能に構成された移動体通信システムの移動局装置であるとして説明する。各国の移動体通信システムに割り当てられる無線周波数帯は国ごとに異なるのが一般的である。本実施の形態でも、携帯電話１をある国で使用する場合と、他の国で使用する場合と、で異なる無線周波数帯が使用されるものとして説明する。
【００２６】
さらに、携帯電話１は、時分割多重方式（ＴＤＭＡ，Time Division Multiple Access）や時分割複信方式（ＴＤＤ，Time Division Duplex）を使用して通信を行う。
【００２７】
移動体通信システムでは、１つの基地局装置と、複数の移動局装置と、が通信を行う。そこで、時分割多重方式では、通常は、１つの周波数チャネルを一定時間毎に区切ってなるタイムスロットにそれぞれ異なる移動局装置の通信が割り当てられる。このようにすることにより、１つの周波数チャネルで複数の移動局装置が通信できるようにしている。
【００２８】
しかしながら実際には、タイムスロット間の干渉を避けるために、１つの周波数チャネル内で時間的に隣り合ったタイムスロットには同一無線周波数を使用せず、干渉しない程度に異なる無線周波数が使用されることが多い。本実施の形態でも、１つの周波数チャネル内で時間的に隣り合ったタイムスロット間では異なる無線周波数が使用されるものとして説明を進める。また、携帯電話１は、１つの周波数チャネル内で時間的に隣り合ったタイムスロットをともに使用して通信を行う機能を備えているものとして説明を進める（このような機能はアグリゲーション機能と呼ばれる）。
【００２９】
時分割複信方式では、１つの周波数チャネルが、携帯電話１から送信される信号（上り信号）と、携帯電話１へ送信される信号（下り信号）とで、時分割切替されつつ、使用される。
【００３０】
制御部１０は、記憶部２０に記憶されるプログラムを実行するための処理ユニットを備え、携帯電話１の各部を制御する。また、携帯電話１のユーザの操作に応じて通信データを生成し、データ処理部７０に出力する。
【００３１】
また、制御部１０は、ローミングで使用される複数の無線周波数帯のうち、いずれの無線周波数帯を使用して通信を行うかについて、ユーザの操作による選択を受け入れる。そして、この選択に応じて、携帯電話１において使用する無線周波数帯（使用無線周波数帯）を決定する。また、各無線周波数帯は複数の周波数チャネルを含んでおり、制御部１０は、使用無線周波数帯の中から通信に使用する周波数チャネル（使用周波数チャネル）を選択する。
【００３２】
記憶部２０は、本実施の形態を実施するためのプログラムを記憶している。また、携帯電話１に含まれる各部のワークメモリとしても動作する。
【００３３】
ネットワーク通信部８０は、携帯電話１に接続されているコンピュータ端末装置やルータ装置との間で通信データを送受信するための通信インターフェイスを備える。ネットワーク通信部８０は、該通信インターフェイスにより上記コンピュータ端末装置や上記ルータ装置から受信した通信データをデータ処理部７０に出力する。また、データ処理部７０から出力される通信データをこれらの装置に対して出力する。
【００３４】
データ処理部７０は、制御部１０やネットワーク通信部８０から入力される通信データに対して、Ｄ／Ａ変換処理を行い、ベースバンド周波数帯の信号（ベースバンド信号）としてＩＦ処理部６０に出力する。また、ＩＦ処理部６０から入力されるベースバンド信号にＡ／Ｄ変換を施し、通信データとして制御部１０やネットワーク通信部８０に出力する。
【００３５】
ＩＦ処理部６０は、データ処理部７０から入力されるベースバンド信号に対して周波数変換及び増幅処理を行い、中間周波数帯の信号としてＲＦ処理部３０に入力する。また、ＲＦ処理部３０から入力される中間周波数帯の信号に対して周波数変換及び増幅処理を行い、ベースバンド信号としてデータ処理部７０に入力する。
【００３６】
ＲＦ処理部３０は無線周波数帯ごとに設置されるアンテナ５０と接続される。ＲＦ処理部３０は、ＩＦ処理部６０から入力される中間周波数帯の信号に対して周波数変換及び増幅処理を行い、使用周波数チャネルにおいて、当該信号が含まれるタイムスロットの周波数の信号（無線信号）として、使用無線周波数帯に対応するアンテナ５０から出力する。一方、使用無線周波数帯に対応するアンテナ５０に到来した無線信号に対して、当該信号が含まれる使用周波数チャネル及びタイムスロットに対応する周波数変換及び増幅処理を行い、中間周波数帯の信号としてＩＦ処理部６０に入力する。
【００３７】
このように、ＲＦ処理部３０は、使用周波数チャネル及びタイムスロットに対応する周波数変換を行っている。つまり、ＲＦ処理部３０において行われる周波数変換処理は、使用周波数チャネルごと、かつタイムスロットごと、に異なっている。以下、このようなＲＦ処理部３０における処理について、ＲＦ処理部３０の回路構成図を参照しながら、より詳細に説明する。
【００３８】
なお、以下では無線周波数帯として無線周波数帯Ａ（第１無線周波数帯）及び無線周波数帯Ｂ（第２無線周波数帯）のいずれかを使用するものとして説明する。また、各無線周波数帯で使用可能な周波数チャネルは１つずつであるものとして説明する。
【００３９】
また、図２乃至図６は、それぞれ本発明の実施の形態１乃至４に対応するＲＦ処理部３０の回路構成図を示している。以下では、各実施形態について、それぞれ説明を行う。
【００４０】
なお、図２乃至図６における符号は、「−１」が下り信号に対応する構成要素、「−２」が上り信号に対応する構成要素、「−Ａ」が無線周波数帯Ａに対応する構成要素、「−Ｂ」が無線周波数帯Ｂに対応する構成要素、「−ａ」が時間的に隣り合ったタイムスロットのうちの一方に対応する構成要素、「−ｂ」が時間的に隣り合ったタイムスロットのうちの他方に対応する構成要素、をそれぞれ示している。
【００４１】
［実施形態１］
図２は、本発明の実施の形態１にかかるＲＦ処理部３０の回路構成図である。同図に示すように、ＲＦ処理部３０は、ＳＷ３２−１、ＳＷ３２−２、ＤＵＰＬＥＸＥＲ(デュプレクサ)３３−Ａ、ＤＵＰＬＥＸＥＲ３３−Ｂ、ＲＦＭＩＸＥＲ３４−１−Ａ、ＲＦＭＩＸＥＲ３４−１−Ｂ、ＲＦＭＩＸＥＲ３４−２−Ａ、ＲＦＭＩＸＥＲ３４−２−Ｂ、ＳＷ３５−Ａ、ＳＷ３５−Ｂ、ＶＣＯ３７ａ−Ａ、ＶＣＯ３７ｂ−Ｂ、ＬＰＦ(LooP Filter, ループフィルタ)３８−Ａ、ＬＰＦ３８−Ｂ、ΣΔＰＬＬ(ΣΔ Phase Locked Loop, ΣΔ型位相ロックド・ループ)３９ａ、ＴＣＸＯ４０、分周器４１−Ｂを含んで構成されている。
【００４２】
ＲＦ処理部３０では、ＶＣＯ３７ａ−Ａ又はＶＣＯ３７ｂ−Ｂから出力される信号を、ＲＦＭＩＸＥＲ３４−１−Ａ、ＲＦＭＩＸＥＲ３４−１−Ｂ、ＲＦＭＩＸＥＲ３４−２−Ａ、又はＲＦＭＩＸＥＲ３４−２−Ｂで通信信号に混合することにより、上記周波数変換を行う。そこでまず、ＶＣＯ３７ａ−Ａ又はＶＣＯ３７ｂ−Ｂにおいて信号を出力するための処理について説明する。
【００４３】
まず、ＴＣＸＯ４０は、所定の基準周波数の基準信号を発振し、ΣΔＰＬＬ３９ａに入力する。
【００４４】
ΣΔＰＬＬ３９ａは、ＲＦ対応部とＩＦ対応部とを備えている（不図示）。
【００４５】
ＲＦ対応部は、ＲＦ入力インターフェイスとＲＦ出力インターフェイスとを備え、ＲＦ入力インターフェイスにおいてＶＣＯ３７ａ−Ａと接続され、ＲＦ出力インターフェイスにおいてＬＰＦ３８−Ａを介してＶＣＯ３７ａ−Ａに接続される。ＲＦ対応部は、さらに、ＶＣＯ３７ａ−ＡからＲＦ入力インターフェイスに入力される信号をＮ分周するＮ分周器と、ＴＣＸＯ４０から入力された基準信号をＲ分周するＲ分周器と、Ｎ分周器から出力される信号とＲ分周器から出力される信号の位相を比較する位相比較器と、位相比較器の結果に応じたＶＣＯ制御電圧信号を出力するチャージポンプ回路と、を含んで構成される（不図示）。ＲＦ対応部は、これらの構成により、基準信号と同位相かつ基準信号の周波数をＮ／Ｒ逓倍してなる周波数の信号がＶＣＯ３７ａ−Ａから出力されるようにするためのＶＣＯ制御電圧信号を、ＶＣＯ３７ａ−Ａに対してＲＦ出力インターフェイスから出力する。
【００４６】
また、ＲＦ対応部は、タイムスロットの切替タイミングを取得する。そして、取得した切替タイミングに応じて、タイムスロットごとに、該タイムスロットを使用する通信信号の無線周波数と、中間周波数と、に応じた周波数の信号をＶＣＯ３７ａ−Ａが出力するよう、Ｎ分周器のＮ値を変更する周波数切替処理を行う。このようにＮ値を変更することによって、チャージポンプ回路から出力されるＶＣＯ制御電圧信号の電圧を変え、ＶＣＯ３７ａ−Ａから無線周波数帯Ａに対応する信号が出力されるようにしているとともに、該出力される信号の周波数が、各タイムスロットで使用される周波数に対応する周波数となるようにしている。
【００４７】
ＩＦ対応部は、ＩＦ入力インターフェイスとＩＦ出力インターフェイスとを備え、ＩＦ入力インターフェイスにおいて分周器４１−Ｂを介してＶＣＯ３７ｂ−Ｂと接続され、ＩＦ出力インターフェイスにおいてＬＰＦ３８−Ｂを介してＶＣＯ３７ｂ−Ｂに接続される。ＩＦ対応部は、さらに、ＶＣＯ３７ｂ−Ｂから分周器４１−Ｂを介してＩＦ入力インターフェイスに入力される信号をＮ分周するＮ分周器と、ＴＣＸＯ４０から入力された基準信号をＲ分周するＲ分周器と、Ｎ分周器から出力される信号とＲ分周器から出力される信号の位相を比較する位相比較器と、位相比較器の結果に応じたＶＣＯ制御電圧信号を出力するチャージポンプ回路と、を含んで構成される（不図示）。ＩＦ対応部は、これらの構成により、基準信号と同位相かつ基準信号の周波数をＮ／Ｒ逓倍してなる周波数の信号がＶＣＯ３７ｂ−Ｂから出力されるようにするためのＶＣＯ制御電圧信号を、ＶＣＯ３７ｂ−Ｂに対してＩＦ出力インターフェイスから出力する。
【００４８】
なお、ＲＦ入力インターフェイスはＶＣＯ３７ａ−Ａが出力する周波数変換用信号をそのまま受け入れるのに対し、ＩＦ入力インターフェイスは、分周器４１−Ｂで中間周波数帯の信号に変換された後の、ＶＣＯ３７ｂ−Ｂが出力する周波数変換用信号を受け入れる。ＩＦ入力インターフェイスは中間周波数帯の信号のみを受け入れることができる入力インターフェイスであるからである。
【００４９】
また、ＩＦ対応部も、タイムスロットの切替タイミングを取得する。そして、取得した切替タイミングに応じて、タイムスロットごとに、該タイムスロットを使用する通信信号の無線周波数と、中間周波数と、に応じた周波数の信号をＶＣＯ３７ｂ−Ｂが出力するよう、Ｎ分周器のＮ値を変更する周波数切替処理を行う。このようにＮ値を変更することによって、チャージポンプ回路から出力されるＶＣＯ制御電圧信号の電圧を変え、ＶＣＯ３７ｂ−Ｂから無線周波数帯Ｂに対応する信号が出力されるようにしているとともに、該出力される信号の周波数が、各タイムスロットで使用される周波数に対応する周波数となるようにしている。
【００５０】
ＬＰＦ３８−Ａは、ΣΔＰＬＬ３９ａがＶＣＯ３７ａ−Ａに対して出力するＶＣＯ制御電圧信号から、不要な成分や雑音を取り除き、直流成分のみをＶＣＯ３７ａ−Ａに入力する。ＬＰＦ３８−Ｂも、同様に、ΣΔＰＬＬ３９ａがＶＣＯ３７ｂ−Ｂに対して出力するＶＣＯ制御電圧信号から、不要な成分や雑音を取り除き、直流成分のみをＶＣＯ３７ｂ−Ｂに入力する。
【００５１】
ＶＣＯ３７ａ−Ａは、ΣΔＰＬＬ３９ａのＲＦ出力インターフェイスから出力されるＶＣＯ制御電圧信号の位相及び電圧に応じた位相及び周波数の信号を出力して、ＳＷ３５−Ａ及びΣΔＰＬＬ３９ａに入力する。このとき出力する信号の周波数は、タイムスロットごとに、該タイムスロットを使用する通信信号の無線周波数（無線周波数帯Ａの使用周波数チャネルに含まれる周波数）と、中間周波数と、に応じた周波数となるよう、構成される。この周波数については、後に詳述する。
【００５２】
ＶＣＯ３７ｂ−Ｂは、ΣΔＰＬＬ３９ａのＩＦ出力インターフェイスから出力されるＶＣＯ制御電圧信号の位相及び電圧に応じた位相及び周波数の信号を出力して、ＳＷ３５−Ｂ及び分周器４１−Ｂに入力する。このとき出力する信号の周波数は、タイムスロットごとに、該タイムスロットを使用する通信信号の無線周波数（無線周波数帯Ｂの使用周波数チャネルに含まれる周波数）と、中間周波数と、に応じた周波数となるよう、構成される。この周波数についても、後に詳述する。
【００５３】
分周器４１−Ｂは、ＶＣＯ３７ｂ−Ｂから入力される信号の周波数を、中間周波数帯に変換する。そして、ΣΔＰＬＬ３９ａのＩＦ入力インターフェイスに対して、中間周波数帯の周波数に変換した後の信号を入力する。
【００５４】
次に、以上のようにしてＶＣＯ３７ａ−Ａ又はＶＣＯ３７ｂ−Ｂから出力される信号を、通信信号に混合することにより、周波数変換を行う処理について説明する。なお、この周波数変換処理は無線周波数帯Ａと無線周波数帯Ｂとで同様な処理であるので、以下では無線周波数帯Ａに関する処理について説明する。
【００５５】
ＩＦ処理部６０から出力される中間周波数帯の通信信号は、ＳＷ３２−１に入力される。ＳＷ３２−１は、制御部１０が決定した使用無線周波数帯に応じて、入力された中間周波数帯の信号の出力先を決定する。ここでは制御部１０は使用無線周波数帯を無線周波数帯Ａと決定しているので、ＳＷ３２−１は、入力された中間周波数帯の通信信号をＲＦＭＩＸＥＲ３４−１−Ａに出力する。
【００５６】
ＳＷ３５−Ａは、上り信号にかかるタイムスロットと、下り信号にかかるタイムスロットと、の切替タイミングを取得し、取得した切替タイミングに応じて、ＶＣＯ３７ｂ−Ｂから入力される信号の出力先を切り替える。具体的には、下り信号にかかるタイムスロットでは、ＶＣＯ３７ａ−Ａから入力される信号をＲＦＭＩＸＥＲ３４−２−Ａに出力し、上り信号にかかるタイムスロットでは、ＶＣＯ３７ａ−Ａから入力される信号をＲＦＭＩＸＥＲ３４−１−Ａに出力する。
【００５７】
ＲＦＭＩＸＥＲ３４−１−Ａは、ＳＷ３２−１から入力された中間周波数帯の通信信号に、ＳＷ３５−Ａから入力された信号を混合する。ＳＷ３５−Ａから入力された信号の周波数は、上述のように、タイムスロットごとに、該タイムスロットを使用する通信信号の無線周波数と、中間周波数と、に応じた周波数となるように構成されており、上記混合の結果としてＲＦＭＩＸＥＲ３４−１−Ａから出力される信号の周波数は、タイムスロットごとに、該タイムスロットを使用する通信信号の無線周波数となる。
【００５８】
換言すれば、ＶＣＯ３７ａ−Ａから入力される信号の周波数が、ＳＷ３２−１から入力された中間周波数帯の通信信号と混合することにより、当該通信信号が使用するタイムスロットに対応する無線周波数の通信信号が得られる周波数となるよう、ΣΔＰＬＬ３９ａにおける周波数切替設定処理がなされている。
【００５９】
ＤＵＰＬＥＸＥＲ３３−Ａは、上り信号にかかるタイムスロットでは、ＲＦＭＩＸＥＲ３４−１−Ａから出力される信号をアンテナ５０−Ａから無線区間に送出する。一方、下り信号にかかるタイムスロットでは、アンテナ５０−Ａに到来した無線周波数帯の信号をＲＦＭＩＸＥＲ３４−２−Ａに対して出力する。
【００６０】
ＲＦＭＩＸＥＲ３４−２−Ａは、ＤＵＰＬＥＸＥＲ３３−Ａから出力された無線周波数帯の通信信号に、ＳＷ３５−Ａから入力された信号を混合する。ＳＷ３５−Ａから入力された信号の周波数は、上述のように、タイムスロットごとに、該タイムスロットを使用する通信信号の無線周波数と、中間周波数と、に応じた周波数となるように構成されており、上記混合の結果としてＲＦＭＩＸＥＲ３４−１−Ａから出力される信号の周波数は中間周波数帯の周波数となる。
【００６１】
換言すれば、ＶＣＯ３７ａ−Ａから入力される信号の周波数が、ＤＵＰＬＥＸＥＲ３３−Ａから出力された無線周波数帯の通信信号と混合することにより、中間周波数の通信信号が得られる周波数となるよう、ΣΔＰＬＬ３９ａにおける周波数切替処理がなされている。
【００６２】
ＳＷ３２−２は、制御部１０が決定した使用無線周波数帯に応じて、中間周波数帯の信号の入力元を決定する。ここでは制御部１０は使用無線周波数帯を無線周波数帯Ａと決定しているので、ＳＷ３２−２は、ＲＦＭＩＸＥＲ３４−２−Ａから出力される中間周波数帯の信号の入力を受け付け、ＩＦ処理部６０に出力する。
【００６３】
実施形態１にかかるＲＦ処理部３０は、以上説明したようにして周波数変換を行っている。つまり、２つの出力を有するΣΔＰＬＬ３９ａを使用しているので、無線周波数帯ごとに設置されるＶＣＯに各出力を接続することにより、１つのＰＬＬの出力信号を２つのＶＣＯに出力することができるようになっている。そしてこのように接続することにより、携帯電話１がローミングした場合（すなわち、制御部１０が使用無線周波数帯を切り替えた場合）にも、ΣΔＰＬＬ３９ａからＶＣＯ制御電圧信号の入力を受けた各ＶＣＯは、対応する無線周波数帯に応じた周波数の信号を出力することを実現している。すなわち、各ＶＣＯが１つのＰＬＬからの出力信号の電圧に応じて互いに異なる無線周波数帯の信号を出力するようにしたので、複数の無線周波数帯に対応するために複数のＰＬＬを用意する必要がなく、部品点数を削減することができる。
【００６４】
また、ＲＦ入力とＩＦ入力の２つの入力インターフェイスを備えているＰＬＬを使用し、ＶＣＯ３７ｂ−Ｂの出力信号の周波数を分周器４１−Ｂにより周波数変換することとしたので、ＶＣＯ３７ｂ−Ｂの出力をＩＦ入力インターフェイスに入力することにより、２つのＶＣＯの出力を１つのＰＬＬに入力することを実現している。
【００６５】
さらに、実施形態１ではＰＬＬとしてΣΔＰＬＬ３９ａを使用している。一般に、ＰＬＬはＶＣＯからの帰還回路を利用して位相を調整するため、ＶＣＯの出力信号の位相が一定になるまである程度の時間を要する。この位相が一定になることをロックアップといい、ロックアップまでに要する時間をロックアップタイムという。ロックアップタイムはＬＰＦやＰＬＬの種類などに依存する。ΣΔＰＬＬ３９ａは、ＰＬＬの中のΣΔ型と呼ばれるものであり、Ｎ分周器のＮ値をフラクショナル（分数）にし、かつそれにΣΔ変調をかけることによって周波数変更をしているためにロックアップタイムが短くなっているという特徴がある。このため、ΣΔＰＬＬ３９ａは、タイムスロットが変わることによって必要となる周波数切替の際に許容される時間的余裕の中で、ＶＣＯの出力信号の位相を安定させることができる。この結果として、タイムスロットの切替のためにＰＬＬとＶＣＯのセット２つを設ける必要がなくなり、さらに部品点数を削減することが可能になっている。
【００６６】
［実施形態２］
図３は、本発明の実施の形態２にかかるＲＦ処理部３０の回路構成図である。同図に示すように、ＲＦ処理部３０は、実施形態１にかかるＲＦ処理部３０において、ＶＣＯ３７ｂ−Ｂに代えてＶＣＯ３７ａ−Ｂを、ＬＰＦ３８−Ａ及びＬＰＦ３８−Ｂに代えてＬＰＦ３８を、ΣΔＰＬＬ３９ａに代えてΣΔＰＬＬ３９ｂを、含み、さらにＳＷ４２、ＳＷ４３を含み、分周器４１−Ｂを除去した構成となっている。
【００６７】
実施形態２にかかるＲＦ処理部３０では、ＶＣＯ３７ａ−Ａ又はＶＣＯ３７ａ−Ｂから出力される信号を、ＲＦＭＩＸＥＲ３４−１−Ａ、ＲＦＭＩＸＥＲ３４−１−Ｂ、ＲＦＭＩＸＥＲ３４−２−Ａ、又はＲＦＭＩＸＥＲ３４−２−Ｂで通信信号に混合することにより、上記周波数変換を行う。この処理については、実施形態１と同様である。実施形態２では、特に、ＶＣＯ３７ａ−Ａ又はＶＣＯ３７ａ−Ｂにおいて信号を出力するための処理が実施形態１と異なっている。そこで、以下、実施形態２にかかるＶＣＯ３７ａ−Ａ又はＶＣＯ３７ａ−Ｂにおいて信号を出力するための処理について説明する。
【００６８】
ΣΔＰＬＬ３９ｂは、ＲＦ入力インターフェイスとＲＦ出力インターフェイスとを備えている。そして、ＲＦ入力インターフェイスにおいてＳＷ４３を介してＶＣＯ３７ａ−Ａ及びＶＣＯ３７ａ−Ｂと接続される。また、ＲＦ出力インターフェイスにおいてＬＰＦ３８及びＳＷ４２を介してＶＣＯ３７ａ−Ａ及びＶＣＯ３７ａ−Ｂと接続される。
【００６９】
ΣΔＰＬＬ３９ｂは、さらに、ＶＣＯ３７ａ−Ａ又はＶＣＯ３７ａ−ＢからＲＦ入力インターフェイスに入力される信号をＮ分周するＮ分周器と、ＴＣＸＯ４０から入力された基準信号をＲ分周するＲ分周器と、Ｎ分周器から出力される信号とＲ分周器から出力される信号の位相を比較する位相比較器と、位相比較器の結果に応じたＶＣＯ制御電圧信号を出力するチャージポンプ回路と、を含んで構成される（不図示）。ΣΔＰＬＬ３９ｂは、これらの構成により、基準信号と同位相かつ基準信号の周波数をＮ／Ｒ逓倍してなる周波数の信号がＶＣＯ３７ａ−Ａ又はＶＣＯ３７ａ−Ｂから出力されるようにするためのＶＣＯ制御電圧信号を、ＶＣＯ３７ａ−Ａ又はＶＣＯ３７ａ−Ｂに対してＲＦ出力インターフェイスから出力する。
【００７０】
ΣΔＰＬＬ３９ｂは、また、制御部１０が決定した使用無線周波数帯に応じて、Ｎ分周器のＮ値を変更するとともに、タイムスロットごとに、該タイムスロットを使用する通信信号の無線周波数と、中間周波数と、に応じた周波数の信号をＶＣＯ３７ａ−Ａ又はＶＣＯ３７ａ−Ｂが出力するよう、Ｎ分周器のＮ値を変更する周波数切替処理も行う。このようにＮ値を変更することによって、チャージポンプ回路から出力されるＶＣＯ制御電圧信号の電圧を変え、ＶＣＯ３７ａ−Ａからは無線周波数帯Ａに対応する信号が出力され、ＶＣＯ３７ａ−Ｂからは無線周波数帯Ｂに対応する信号が出力されるようにしているとともに、これらの信号の周波数が、各タイムスロットで使用される周波数に対応する周波数となるようにしている。
【００７１】
ＬＰＦ３８は、ΣΔＰＬＬ３９ｂがＶＣＯ３７ａ−Ａ又はＶＣＯ３７ａ−Ｂに対して出力するＶＣＯ制御電圧信号から、不要な成分や雑音を取り除き、直流成分のみをＳＷ４２に入力する。
【００７２】
ＳＷ４２は、制御部１０が決定した使用無線周波数帯に応じて、ＬＰＦ３８から出力される信号の出力先を切り替える。具体的には、使用無線周波数帯が無線周波数帯Ａである場合には、ＬＰＦ３８から出力される信号をＶＣＯ３７ａ−Ａに出力する。また、使用無線周波数帯が無線周波数帯Ｂである場合には、ＬＰＦ３８から出力される信号をＶＣＯ３７ａ−Ｂに出力する。
【００７３】
ＶＣＯ３７ａ−Ａは、ΣΔＰＬＬ３９ｂのＲＦ出力インターフェイスから出力されるＶＣＯ制御電圧信号の位相及び電圧に応じた位相及び周波数の信号を出力して、ＳＷ３５−Ａ及びＳＷ４３に入力する。このとき出力する信号の周波数は実施形態１と同様である。
【００７４】
ＶＣＯ３７ａ−Ｂは、ΣΔＰＬＬ３９ｂのＲＦ出力インターフェイスから出力されるＶＣＯ制御電圧信号の位相及び電圧に応じた位相及び周波数の信号を出力して、ＳＷ３５−Ｂ及びＳＷ４３に入力する。このとき出力する信号の周波数も実施形態１と同様である。
【００７５】
ＳＷ４３は、制御部１０が決定した使用無線周波数帯に応じて、ΣΔＰＬＬ３９ｂに入力する信号の入力元を切り替える。具体的には、使用無線周波数帯が無線周波数帯Ａである場合には、ＶＣＯ３７ａ−Ａから入力される信号をΣΔＰＬＬ３９ｂに出力する。また、使用無線周波数帯が無線周波数帯Ｂである場合には、ＶＣＯ３７ａ−Ｂから出力される信号をΣΔＰＬＬ３９ｂに出力する。
【００７６】
実施形態２にかかるＲＦ処理部３０は、以上説明したようにしてＶＣＯ３７ａ−Ａ又はＶＣＯ３７ａ−Ｂから信号を出力し、周波数変換を行っている。つまり、ΣΔＰＬＬ３９ｂの出力信号を入力するＶＣＯを、ローミングのために選択された無線周波数帯に従って変更することができ、しかも各ＶＣＯはΣΔＰＬＬ３９ｂからの入力信号によってそれぞれに対応する無線周波数帯の信号を出力するので、複数の無線周波数帯に対応するために複数のＰＬＬを用意する必要がなく、部品点数を削減することができる。
【００７７】
さらに、実施形態２でもＰＬＬとしてΣΔＰＬＬ３９ａを使用しているので、実施形態１同様、タイムスロットの切替のためにＰＬＬとＶＣＯのセット２つを設ける必要がなくなり、さらに部品点数を削減することが可能になっている。
【００７８】
［実施形態３］
図４は、本発明の実施の形態３にかかるＲＦ処理部３０の回路構成図である。同図に示すように、ＲＦ処理部３０は、実施形態１にかかるＲＦ処理部３０において、ＶＣＯ３７ａ−Ａ及びＶＣＯ３７ｂ−Ｂに代えてＶＣＯ３７ｂ−Ａ−ａ、ＶＣＯ３７ａ−Ａ−ｂ、ＶＣＯ３７ａ−Ｂ−ａ、及びＶＣＯ３７ｂ−Ｂ−ｂを、ＬＰＦ３８−Ａ及びＬＰＦ３８−Ｂに代えてＬＰＦ３８−Ａ−ａ、ＬＰＦ３８−Ａ−ｂ、ＬＰＦ３８−Ｂ−ａ、及びＬＰＦ３８−Ｂ−ｂを、ΣΔＰＬＬ３９ａに代えてＰＬＬ３９ｃ−ａ及びＰＬＬ３９ｃ−ｂを、分周器４１に代えて分周器４１−Ａ−ａ及び分周器４１−Ｂ−ｂを、含み、さらにＳＷ３６−Ａ及びＳＷ３６−Ｂを含む構成となっている。
【００７９】
また、ＳＷ３６−ＡとＳＷ３５−Ａとの間、及びＳＷ３６−ＢとＳＷ３５−Ｂとの間には、ＢＡ(Buffer Amp，バッファアンプ)４４−Ａ、ＢＡ４４−Ｂがそれぞれ設けられている。ＢＡ４４−Ａは、ＳＷ３６−Ａに対する信号の入力元をＶＣＯ３７ｂ−Ａ−ａ又はＶＣＯ３７ａ−Ａ−ｂのうちの一方のＶＣＯから他方のＶＣＯに切り替えるときに、一方のＶＣＯの負荷変動が他方のＶＣＯの出力信号に与える影響を軽減するためのものである。ＢＡ４４−Ｂについても同様である。
【００８０】
実施形態３にかかるＲＦ処理部３０では、ＳＷ３６−Ａ又はＳＷ３６−Ｂから出力される信号を、ＲＦＭＩＸＥＲ３４−１−Ａ、ＲＦＭＩＸＥＲ３４−１−Ｂ、ＲＦＭＩＸＥＲ３４−２−Ａ、又はＲＦＭＩＸＥＲ３４−２−Ｂで通信信号に混合することにより、上記周波数変換を行う。この処理については、各ＶＣＯから直接ＳＷ３５−Ａ又はＳＷ３５−Ｂに信号が入力されるのではなく、ＳＷ３６−Ａ又はＳＷ３６−Ｂを経由して入力される点を除き、実施形態１と同様である。
【００８１】
実施形態３では、特に、ＰＬＬがΣΔ型でない点が実施形態１と異なっている。このため、タイムスロットの切替のためにＰＬＬとＶＣＯのセット２つを設けている。すなわち、ＰＬＬ３９ｃ−ａ、ＶＣＯ３７ｂ−Ａ−ａ、及びＶＣＯ３７ａ−Ｂ−ａで１つのセットを構成し、ＰＬＬ３９ｃ−ｂ、ＶＣＯ３７ａ−Ａ−ｂ、及びＶＣＯ３７ｂ−Ｂ−ｂでもう１つのセットを構成している。そして、実施形態１では、ΣΔＰＬＬ３９ａが、タイムスロットごとに、該タイムスロットを使用する通信信号の無線周波数と、中間周波数と、に応じた周波数の信号をＶＣＯが出力するよう、Ｎ分周器のＮ値を変更する周波数切替処理を行っていたが、実施形態３ではタイムスロットが変わることによって必要となる周波数切替の際に許容される時間的余裕の中で、ＶＣＯの出力信号の位相を安定させることができない。このため、ＰＬＬ３９ｃ−ａ単独又はＰＬＬ３９ｃ−ｂ単独で、時間的に隣り合ったタイムスロットが変わることに周波数切替を行うのではなく、一方のＰＬＬの出力に応じてＶＣＯが出力している信号をＲＦＭＩＸＥＲに入力している間に、他方のＰＬＬのロックアップを行うようにしている。
【００８２】
具体的な例を挙げて説明する。この例では、使用無線周波数帯は無線周波数帯Ａであり、タイムスロットＴ１とタイムスロットＴ２とが時間的に隣り合っているとして説明する。
【００８３】
まず、ＳＷ３６−Ａは、タイムスロットの切替タイミングを取得する。そして、取得した切替タイミングに応じて、ＳＷ３５−Ａに出力する信号の入力元ＶＣＯを切り替える。ここでは、タイムスロットＴ１ではＶＣＯ３７ｂ−Ａ−ａの出力がＳＷ３５−Ａに入力され、タイムスロットＴ２ではＶＣＯ３７ａ−Ａ−ｂの出力がＳＷ３５−Ａに入力されるよう、入力元ＶＣＯを切り替える。
【００８４】
ＳＷ３６−Ａが入力元ＶＣＯをＶＣＯ３７ｂ−Ａ−ａとしているとき、ＰＬＬ３９ｃ−ａのＩＦ対応部は、タイムスロットＴ１を使用する通信信号の無線周波数と、中間周波数と、に応じた周波数の信号をＶＣＯ３７ｂ−Ａ−ａが出力するよう、設定されている。なお、この設定は、具体的には、ＰＬＬ３９ｃ−ａに含まれるＮ分周器のＮ値又はＲ分周器のＲ値、若しくはＴＣＸＯ４０の発信信号の周波数、の少なくとも１つを設定することにより行われる。そして、ＶＣＯ３７ｂ−Ａ−ａの出力の位相は安定している。すなわち、ＰＬＬ３９ｃ−ａは既にロックアップしている。
【００８５】
一方このとき、ＰＬＬ３９ｃ−ｂのＲＦ対応部は、ＲＦ出力インターフェイスからタイムスロットＴ２を使用する通信信号の無線周波数と、中間周波数と、に応じた周波数の信号をＶＣＯ３７ａ−Ａ−ｂが出力するよう、ＰＬＬ３９ｃ−ｂに含まれるＮ分周器のＮ値又はＲ分周器のＲ値、若しくはＴＣＸＯ４０の発信信号の周波数、の少なくとも１つを変更する周波数切替処理を行う。そして、ＲＦインターフェイスからの出力を開始し、ＳＷ３６−Ａが入力元ＶＣＯをＶＣＯ３７ａ−Ａ−ｂに切り替えるまでの間にロックアップするようにしている。
【００８６】
このように、ＲＦ処理部３０は、タイムスロットＴ１ではＶＣＯ３７ｂ−Ａ−ａの出力がＳＷ３５−Ａに入力されるとともに、タイムスロットＴ１の間にＶＣＯ３７ａ−Ａ−ｂの出力のロックアップを行う。また、タイムスロットＴ２ではＶＣＯ３７ａ−Ａ−ｂの出力がＳＷ３５−Ａに入力されるとともに、タイムスロットＴ２の間にＶＣＯ３７ｂ−Ａ−ａの出力のロックアップを行う。
【００８７】
以上説明したように、実施形態３ではタイムスロットの切替のためにＰＬＬとＶＣＯのセット２つを設ける必要がある一方で、２つの出力を有するＰＬＬ３９ｃ−ａ及びＰＬＬ３９ｃ−ｂを使用しているので、無線周波数帯ごとに設置されるＶＣＯに各出力を接続することにより、１つのＰＬＬの出力信号を２つのＶＣＯに出力することができるようになっている。そしてこのように接続することにより、携帯電話１がローミングした場合（すなわち、制御部１０が使用無線周波数帯を切り替えた場合）にも、ＰＬＬ３９ｃ−ａ又はＰＬＬ３９ｃ−ｂからＶＣＯ制御電圧信号の入力を受けた各ＶＣＯは、対応する無線周波数帯に応じた周波数の信号を出力することを実現している。
【００８８】
また、ＲＦ入力とＩＦ入力の２つの入力インターフェイスを備えているＰＬＬを使用し、ＶＣＯ３７ｂ−Ａ−ａの出力信号の周波数を分周器４１−Ａ−ａにより周波数変換し、ＶＣＯ３７ｂ−Ｂ−ｂの出力信号の周波数を分周器４１−Ｂ−ｂにより周波数変換することとしたので、各ＶＣＯの出力をＰＬＬ３９ｃ−ａ又はＰＬＬ３９ｃ−ｂのＩＦ入力インターフェイスに入力することにより、２つのＶＣＯの出力を１つのＰＬＬに入力することを実現している。
【００８９】
［実施形態４］
図５は、本発明の実施の形態４にかかるＲＦ処理部３０の回路構成図である。同図に示すように、ＲＦ処理部３０は、実施形態２にかかるＲＦ処理部３０において、ＶＣＯ３７ａ−Ａ及びＶＣＯ３７ｂ−Ｂに代えてＶＣＯ３７ａ−Ａ−ａ、ＶＣＯ３７ａ−Ａ−ｂ、ＶＣＯ３７ａ−Ｂ−ａ、及びＶＣＯ３７ａ−Ｂ−ｂを、ＬＰＦ３８に代えてＬＰＦ３８−ａ及びＬＰＦ３８−ｂを、ΣΔＰＬＬ３９ｂに代えてＰＬＬ３９ｄ−ａ及びＰＬＬ３９ｄ−ｂを、ＳＷ４２に代えてＳＷ４２−ａ及びＳＷ４２−ｂを、ＳＷ４３に代えてＳＷ４３−ａ及びＳＷ４３−ｂを、含み、さらにＳＷ３６−Ａ及びＳＷ３６−Ｂを含む構成となっている。
【００９０】
また、ＳＷ３６−ＡとＳＷ３５−Ａとの間、及びＳＷ３６−ＢとＳＷ３５−Ｂとの間には、ＢＡ４４−Ａ、ＢＡ４４−Ｂがそれぞれ設けられている。このＢＡ４４−Ａ及びＢＡ４４−Ｂは実施形態３で説明したものと同様である。
【００９１】
実施形態４にかかるＲＦ処理部３０では、ＳＷ３６−Ａ又はＳＷ３６−Ｂから出力される信号を、ＲＦＭＩＸＥＲ３４−１−Ａ、ＲＦＭＩＸＥＲ３４−１−Ｂ、ＲＦＭＩＸＥＲ３４−２−Ａ、又はＲＦＭＩＸＥＲ３４−２−Ｂで通信信号に混合することにより、上記周波数変換を行う。この処理については、各ＶＣＯから直接ＳＷ３５−Ａ又はＳＷ３５−Ｂに信号が入力されるのではなく、ＳＷ３６−Ａ又はＳＷ３６−Ｂを経由して入力される点を除き、実施形態２と同様である。
【００９２】
実施形態４では、特に、ＰＬＬがΣΔ型でない点が実施形態２と異なっている。このため、タイムスロットの切替のためにＰＬＬとＶＣＯのセット２つを設けている。すなわち、ＰＬＬ３９ｄ−ａ、ＶＣＯ３７ａ−Ａ−ａ、及びＶＣＯ３７ａ−Ｂ−ａで１つのセットを構成し、ＰＬＬ３９ｄ−ｂ、ＶＣＯ３７ａ−Ａ−ｂ、及びＶＣＯ３７ａ−Ｂ−ｂでもう１つのセットを構成している。そして、実施形態２では、ΣΔＰＬＬ３９ｂが、タイムスロットごとに、該タイムスロットを使用する通信信号の無線周波数と、中間周波数と、に応じた周波数の信号をＶＣＯが出力するよう、Ｎ分周器のＮ値を変更する周波数切替処理を行っていたが、実施形態４ではタイムスロットが変わることによって必要となる周波数切替の際に許容される時間的余裕の中で、ＶＣＯの出力信号の位相を安定させることができない。このため、ＰＬＬ３９ｄ−ａ単独又はＰＬＬ３９ｄ−ｂ単独で、時間的に隣り合ったタイムスロットが変わることに周波数切替を行うのではなく、一方のＰＬＬの出力に応じてＶＣＯが出力している信号をＲＦＭＩＸＥＲに入力している間に、他方のＰＬＬのロックアップを行うようにしている。
【００９３】
このための具体的な処理は、実施形態３で説明した処理と同様である。すなわち、ＲＦ処理部３０は、タイムスロットＴ１ではＶＣＯ３７ａ−Ａ−ａの出力がＳＷ３５−Ａに入力されるとともに、タイムスロットＴ１の間にＶＣＯ３７ａ−Ａ−ｂの出力のロックアップを行う。また、タイムスロットＴ２ではＶＣＯ３７ａ−Ａ−ｂの出力がＳＷ３５−Ａに入力されるとともに、タイムスロットＴ２の間にＶＣＯ３７ａ−Ａ−ａの出力のロックアップを行う。
【００９４】
実施形態４では、このようにタイムスロットの切替のためにＰＬＬとＶＣＯのセットを設けているが、各セットは、無線周波数帯ごとのＶＣＯを含んで構成されている。そして、実施形態２と同様に、ＳＷ４２−ａ及びＳＷ４２−ｂは、制御部１０が決定した使用無線周波数帯に応じて、それぞれＬＰＦ３８−ａ及びＬＰＦ３８−ｂから出力される信号の出力先を切り替える。具体的には、使用無線周波数帯が無線周波数帯Ａである場合には、ＬＰＦ３８−ａ及びＬＰＦ３８−ｂから出力される信号を、それぞれＶＣＯ３７ａ−Ａ−ａ及びＶＣＯ３７ａ−Ａ−ｂに出力する。また、使用無線周波数帯が無線周波数帯Ｂである場合には、ＬＰＦ３８−ａ及びＬＰＦ３８−ｂから出力される信号を、それぞれＶＣＯ３７ａ−Ｂ−ａ及びＶＣＯ３７ａ−Ｂ−ｂに出力する。
【００９５】
また、ＳＷ４３−ａ及びＳＷ４３−ｂは、制御部１０が決定した使用無線周波数帯に応じて、それぞれＰＬＬ３９ｄ−ａ及びＰＬＬ３９ｄ−ｂに入力する信号の入力元を切り替える。具体的には、使用無線周波数帯が無線周波数帯Ａである場合には、ＶＣＯ３７ａ−Ａ−ａ及びＶＣＯ３７ａ−Ａ−ｂから入力される信号を、それぞれＰＬＬ３９ｄ−ａ及びＰＬＬ３９ｄ−ｂに出力する。また、使用無線周波数帯が無線周波数帯Ｂである場合には、ＶＣＯ３７ａ−Ｂ−ａ及びＶＣＯ３７ａ−Ｂ−ｂから入力される信号を、それぞれＰＬＬ３９ｄ−ａ及びＰＬＬ３９ｄ−ｂに出力する。
【００９６】
以上説明したように、実施形態４ではタイムスロットの切替のためにＰＬＬとＶＣＯのセット２つを設ける必要がある一方で、ＰＬＬ３９ｄ−ａ又はＰＬＬ３９ｄ−ｂの出力信号を入力するＶＣＯを、ローミングのために選択された無線周波数帯に従って変更することができ、しかも各ＶＣＯはＰＬＬ３９ｄ−ａ又はＰＬＬ３９ｄ−ｂからの入力信号によってそれぞれに対応する無線周波数帯の信号を出力するので、複数の無線周波数帯に対応するために複数のＰＬＬを用意する必要がなく、部品点数を削減することができる。
【００９７】
なお、本発明は上記実施形態１乃至４に限定されるものではない。例えば、携帯電話でなくとも、複数の周波数帯のうちから１の周波数帯を選択して使用する通信装置に本発明を適用することができる。
【００９８】
また、上記実施形態１乃至４では２つの無線周波数帯のうちのいずれかを選択して使用しているが、本発明は３つ以上の無線周波数帯を使用する場合にも適用することができる。例えば実施形態１と実施形態２を組み合わせ、ΣΔＰＬＬ３９ａの２出力のうちのひとつに、ＳＷ４２を組み入れることとしてもよいし、実施形態２において、ＳＷ４２は３つ以上のＶＣＯと接続され、使用無線周波数帯に応じてΣΔＰＬＬ３９ｂからの出力先を切り替えることとしてもよい。
【００９９】
また、上記実施形態１乃至４ではデュプレクサを用いて信号の送受信を切り替える構成としたが、デュプレクサに代えてＳＷを用いて送受信を切り替えるように構成してもよい。
【図面の簡単な説明】
【０１００】
【図１】本発明の実施の形態に係る携帯電話のシステム構成図である。
【図２】本発明の実施の形態に係る携帯電話の回路構成図である。
【図３】本発明の実施の形態に係る携帯電話の回路構成図である。
【図４】本発明の実施の形態に係る携帯電話の回路構成図である。
【図５】本発明の実施の形態に係る携帯電話の回路構成図である。
【図６】本発明の背景技術に係る携帯電話の回路構成図である。
【符号の説明】
【０１０１】
１０  制御部、２０  記憶部、３０，１３０  ＲＦ処理部、１３１  帯域対応部、３２，３５，３６，４２，４３，１３２，１３５，１３６  ＳＷ、３３，１３３  ＤＵＰＬＥＸＥＲ、３４，１３４  ＲＦＭＩＸＥＲ、３７ａ，３７ｂ，１３７  ＶＣＯ、３８，１３８  ＬＰＦ、３９ａ，３９ｂ  ΣΔＰＬＬ、３９ｃ，３９ｄ，１３９  ＰＬＬ、４０，１４０  ＴＣＸＯ、４１  分周器、４４  ＢＡ、５０，１５０  アンテナ、６０，１６０  ＩＦ処理部、７０  データ処理部、８０  ネットワーク通信部。
【図１】
2006295399.tif 000003
【図２】
2006295399.tif 000004
【図３】
2006295399.tif 000005
【図４】
2006295399.tif 000006
【図５】
2006295399.tif 000007
【図６】
2006295399.tif 000008